(57)【要約】      （修正有）【課題】吸煙による被害を説明して間接吸煙に対する被害と禁煙教育をするための教材として使用される禁煙教育補助器具を提供する。【解決手段】人間の形状をしている人形の本体１０の外部にタバコ２０と直接的に接続できるようになっている吸入管２１と透視窓１９を通じて外部ケース１４の内部へ排出されるタバコ煙の量を視覚的に確認するとともに内部ケース１５に内蔵されている送風ファン１２の回転でフィルター１３の表面にタバコの煙が吸着されている有害物質を上記のフィルター１３から確認できる。【選択図】図３
0003103296.tif 000002
【実用新案登録請求の範囲】
【請求項１】
タバコを固定して燃焼させる禁煙教育補助器具において、上記タバコを燃焼させるように構成した本体を固定させ、タバコの煙を密閉させるようにカバーを具備した外部ケースと、上記外部ケースの内部の一側に固定された吸入口を通じてタバコの煙を濾過して排出させる内部ケースと、上記内部ケースの内部へ流入されるタバコの煙をフィルター部分が継続的に吸入できるように形成された送風ファンと、上記の流入されるタバコの煙を濾過できるように送風ファンの上部側に固定される濾過紙形態のフィルターが脱着できるように内部ケースを構成し、外部ケース内部のタバコの煙を浄化できるように構成することを特徴とする禁煙教育補助器具。
【請求項２】
上記本体に固定されたタバコは吸入管と連結されたスポイトの作用によって燃焼できるように構成することを特徴とする請求項１記載の禁煙教育補助器具。
【請求項３】
上記本体外部の前面に吸入管と連結された透視窓として、スポイトの作用によって燃焼されるタバコの煙がフィルターに吸着されて変色される過程を外部から確認できるように構成することを特徴とする請求項１記載の禁煙教育補助器具。
【考案の詳細な説明】
【技術分野】
【０００１】
本考案は教育用の禁煙教育補助器具に関するものであり、より詳細に説明すると人間の形状をしている人形の本体の外部にタバコと直接的に接することができる吸入管と透視窓を通じて外部ケースの内部へ排出されるタバコの煙の量を視覚的に確認するとともに、上記内部ケースに内蔵されている送風ファンの回転でフィルターの表面にタバコの煙が吸着された有害物質を上記のフィルターから確認できることにより、吸煙による被害を説明して間接吸煙に対する被害と禁煙教育をするための教材として使用する教育用の禁煙教育補助器具に関するものである。
【背景技術】
【０００２】
一般的にタバコが燃える時の中心温度は摂氏９００℃にまで至り、このような高温から有害物質が熱分解、熱合成、蒸溜、昇華、水素化、酸化、脱水化などの過程を経て約４,０００種類にまで至る数多くの毒性化学物質が生成される。
【０００３】
また、タバコの煙の中には大きく分けて発癌物質を包含するタール、ニコチン、それから一酸化炭素などの物質を含有しており、このような物質などの毒性によって気管支と肺、心臓を包含する全ての臓器及び組織細胞に大きな被害を与える。
【０００４】
それから、タバコが切れたときに現れる禁断現象はこのニコチンの作用で起こるものであり、また人間が続けてタバコを周期的に楽しむ一番大きな理由はニコチン中毒によるものである。
【０００５】
その一方、タバコは直接吸う人間だけでなく間接吸煙が周辺の人達の健康にまでも致命的な害を被らせる事実が最近になって科学的に立証され、深刻な社会問題として台頭しており、最近には子供及び青少年達の吸煙はもっと危険な水準まで広がっているのが実情である。
【０００６】
このように吸煙が深刻な疾患を招来し、死亡率を高める一番重要な健康の危険要因であるにもかかわらず、いまだにその予防教育及び治療が無視されているが、これは吸煙が一つの生活習慣であり、タバコは単純な嗜好品であり、薬物の依存ではないという正しくない信頼、そして禁煙教育及び治療は医療の領域ではないという医師の考え方と禁煙治療の効果に対する確信の不足が主要な原因として作用している問題がある。
【０００７】
また、このような問題を発生させるタバコの被害状況は現在では、本、刊行物として印刷され広報及び教育用として活用しているが、このような従来の方法の場合は理論的な教育の説明だけで進行するようになっており、好奇心の多い青少年達の場合は、吸煙教育に対する関心と興味を効果的に呼び起こさない短所がある。
【考案の開示】
【考案が解決しようとする課題】
【０００８】
本考案は上記のような問題点を解決するために案出されたものであり、子供及び青少年達に吸煙が肺に吸収されて人体に与える過程を詳細に再演することで、吸煙の被害を鼓吹させ、間接吸煙による被害を減らし、禁煙教育を極大化するところにその目的がある。
【課題を解決するための手段】
【０００９】
上記のような目的を達成するために、本考案の禁煙教育補助器具においては、本体は外部のケース内部に固定されて、上記本体に固定されたタバコは吸入管を通じてスポイトと連結されてタバコの煙を透視窓から供給するとともに、上記のタバコの煙は内部ケースに固定された送風ファンの回転によってフィルターと一体として形成されている吸入口を通じて流入され濾過した後、排出口を通じて流れるように構成されていることを特徴とする。
【考案の効果】
【００１０】
本考案の禁煙教育補助器具は上記のように構成されているので、子供及び青少年達にとって吸煙の被害を鼓吹させ、間接吸煙による被害を認識させて、禁煙教育を極大化しようとするところに、その効果がある。
それから教室などで禁煙補助器具の実験時に発生するタバコの煙は禁煙補助器具の内部から自体的に除去できることにより、タバコの煙により発生する二次的な被害を減らして禁煙教育を極大化する特徴がある。
【考案を実施するための最良の形態】
【００１１】
まず、本考案の構成は、タバコを燃焼できるように構成した本体１０を固定させて、タバコの煙を密閉させる外部ケース１４と、上記の本体１０から発生するタバコの煙を一側の方に駆り全体的に吸入できるように内部ケース１５の下側に形成されている送風ファン１２と、上記の内部ケース１５に流入するタバコの煙を濾過できるように送風ファン１２の上部側に固定する濾過紙の形態のフィルター１３が外部ケース１４内部のタバコの煙に含有された各種有害物質を完璧に吸着できるように構成してある。
【００１２】
以下、本考案の好ましい実施例を添付した図面によって詳細に説明すると次のようになる。図１は本考案の一実施例による禁煙教育補助器具の組み立て斜視図であり、図２は本考案の一実施例による禁煙教育補助器具の正面図であり、図３は本考案の一実施例による禁煙教育補助器具の背面図、図４は本考案の一実施例による禁煙教育補助器具の側断面図である。
【００１３】
図１のように透明な外部ケース１４の内部に固定される本体１０は一般的な人間の形状をしている石膏人形の形態で製作し、使用者や観覧者の目の高さを最大限勘案できるような大きさで製作して、子供と青少年達に視覚的な教育の効果を高めるように構成する。
【００１４】
また、本体１０を固定させる外部ケース１４は別途のカバー１１によって密閉されることもある。
【００１５】
それから上記の外部ケース１４の内部の一側には、送風ファン１２と密着されていつでも交換できる濾過紙形態のフィルター１３を固定させるために内部ケース１５が固定されるように構成してある。
【００１６】
そのとき、上記の送風ファン１２は外部の電源が伝達できるような構造で成り立つのは当然であり、別途のスイッチ２５により調節できるようにするのが好ましい。
【００１７】
一方、外部ケース１４に固定された本体１０の人形内部は図４のようにタバコと直接連結された吸入管２１を通じて透視窓１９へ連結されるとともに、またもう一つの吸入管２１を使用してスポイト２３と上記の透視窓１９は一体として連結できるように構成される。
【００１８】
上記の状況から空気を圧縮するスポイト２３の作用によって火がついたタバコ２０は自然に燃焼されながら吸入されたタバコの煙を吸入管２１と連結された透視窓１９へ流入されるように構成してある。
【００１９】
また、上記の透視窓１９を通過したタバコの煙は、スポイト２３と連結されたもう一つの吸入管２１によって外部ケース１４の内部に広がるように構成される。
【００２０】
その時、観覧者は透明な外部ケース１４を通じて燃焼されるタバコの煙が本体１０に形成された透視窓１９を通過するのを確認できて、上記の透視窓１９内部に保管されている別途の濾過紙にニコチンが吸着される状況も見られるように構成してある。
【００２１】
それからスポイト２３の作用によってタバコは燃焼を続けながら外部ケース１４の内部はタバコの煙が漸次的に広がる状況が発生するとともに内部ケース１５に固定された送風ファン１２は高速で回転しながら煙を吸入できる一つの濾過装置として構成される。
【００２２】
このような状況ものとで上記の内部ケース１５の上側は濾過紙形態のフィルター１３を受容した吸入口１７が形成されて、その下側には高速で回転する送風ファン１２が排出口１８と一体に形成されるようにしてある。
【００２３】
即ち、外部ケース１４の内部に集められたタバコの煙は内部ケース１５に固定された上記送風ファン１２の回転でフィルター１３が固定された吸入口１７へ継続的に流入されると共にタバコの煙に含有されているニコチンのような各種有害物質は上記のフィルター１３の表面に吸着され濾過された空気だけが排出口１８を通じて外部ケース１４の内部へ再び流れるようになる。
【００２４】
この時、吸入口１７に受容されている濾過紙形態のフィルター１３は作業者が容易に脱着して交換できるようにするのが望ましい。
従ってタバコから発生された煙は禁煙教育場の室内に全く漏出されない状態で自体的にタバコの煙を浄化できるように構成してある。
【００２５】
上記のような構成で成り立つ本考案の作用と効果を詳細に説明すると次のようになる。
まず、図１のように使用者は外部ケース１４の内部に固定された本体１０の人形にタバコを接触させて火を付けることになる。
それからカバー１１を外部ケース１４の上部側に位置させる。従って上記の外部ケース１０の内部は密閉されながら外部の空気と遮断される。
【００２６】
次に図４のように使用者は外部ケース１４の一側に形成されたスイッチ２５を作動させると内部ケース１５に固定された送風ファン１２は高速で回転することになる。
それから、スポイト２３を作動させて本体１０に固定されたタバコ２０を継続的に燃焼することになり、その時吸入されたタバコの煙は本体１０の人形内部に形成された吸入管２１を通じて透視窓１９へ供給されて別途の濾過紙にタバコの煙に含有されているニコチンのような有害物質が吸着されるのを外部から確認できるようになる。
【００２７】
また、上記の透視窓１９を通過するタバコの煙はスポイト２３と連結された別途の吸入管２１を通じて外部ケース１４の内部へ広がる状況が発生される。
上記の状況から集められた煙は内部ケース１５に固定された送風ファン１２が回転を続けながらタバコの煙を全体的に吸入することになる。
【００２８】
一方、上記の内部ケース１５に形成された吸入口１７を通じて流入されるタバコの煙に含有された各種有害物質は濾過紙形態のフィルター１３の表面に全体的に吸着されながら濾過されて排出口１８へ流れていくことになる。
【００２９】
上記の状況からタバコの煙が通過したフィルター１３は毒性物質が沈着されて完全に変色されて、これによるタバコの悪臭もまた深刻な状態になる。
結果的に本体１０の人形の胸部分に形成されている透視窓１９と内部ケース１５に受容されているフィルター１３を通じてタバコのなかに含有されている発癌物質やニコチン、一酸化炭素などが人体の肺にどんな影響を及ぼすかを直接的に確認して禁煙教育を極大化させることになる。
【００３０】
以上で説明した本考案は、本考案が属する技術分野で通常の知識を持つ者にとって本考案の技術的な思想を外れない範囲内で色々置換、変形及び変更が可能であるから前述した実施例及び添付された図面に限定されるものではない。
【図面の簡単な説明】
【００３１】
【図１】本考案の一実施例による禁煙教育補助器具の組み立て斜視図である。
【図２】本考案の一実施例による禁煙教育補助器具の正面図である。
【図３】本考案の一実施例による禁煙教育補助器具の背面図である。
【図４】本考案の一実施例による禁煙教育補助器具の側断面図である。
【符号の説明】
【００３２】
10  本体                            11  カバー
12  送風ファン                      13  フィルター
14  外部ケース                      15  内部ケース
16  掛る部材                        17  吸入口
18  排出口                          19  透視窓
20  タバコ                          21  吸入管
23  スポイト                        25  スイッチ
【図１】
0003103296.tif 000003
【図２】
0003103296.tif 000004
【図３】
0003103296.tif 000005
【図４】
0003103296.tif 000006